(57)【要約】      （修正有）【課題】ディスクの着脱操作を繰り返しても破損せず、さらに収納の省スペース化を図ることができるディスク保持部材を提供する。【解決手段】ディスク保持部材を、円錐台形状を有する上側部分５及び逆円錐台形状を有する下側部分６とからなる上部２（トップ部）と、柱状を有する胴部からなる中部３と、円錐台形状を有する基台部からなる下部４によって構成する。同一の材質で一体に形成し、シリコンあるいはゴムからなる弾性部材を用いる。また、トップ部２の中心部には、上面側から鉛直下方に向かい、トップ部２を貫通して胴部３に至るまで、円柱形状の空洞部１０を形成する。【選択図】図１
0003133837.tif 000002
【実用新案登録請求の範囲】
【請求項１】
基盤ベースに接着して取り付けられ、ディスクの中央部孔に嵌入されることによりディスクを保持するディスク保持部材であって、
上部、中部、及び下部から構成されると共に、弾性部材からなる同一の材質で一体に形成されており、
前記下部は、前記基盤ベースに接着される接着面をその下面側に有する円錐台形状の基台部から成り、
前記中部は、前記ディスクが保持された時、ディスクの中央部孔が嵌合される柱状の胴部から成り、
前記上部は、円錐台形状の上側部分と逆円錐台形状の下側部分とから成るトップ部から成り、
前記トップ部を貫通し前記胴部に至る円柱形状の空洞部が形成されていることを特徴とするディスク保持部材。
【請求項２】
前記トップ部の円錐台形部分は、上面の径が前記ディスクの中央部孔の径よりも小さく形成されると共に、下面の径が前記ディスクの中央部孔の径よりも大きく形成され、
前記トップ部の逆円錐台形部分は、上面の径が前記円錐台形部分の下面の径と等しく形成されると共に、下面の径が前記ディスクの中央部孔の径よりも小さく形成され、
前記胴部の柱部分の径は、前記ディスクの中央部孔の径よりも小さく形成され、
そして、前記基台部の円錐台形部分は、上面の径が前記ディスクの中央部孔の径よりも小さく形成されると共に、下面の径が前記ディスクの中央部孔の径よりも大きく形成されていることを特徴とする請求項１に記載のディスク保持部材。
【請求項３】
前記下部の円錐台形の傾斜角は、３０°から４０°の範囲に設定されていることを特徴とする請求項１または２に記載のディスク保持部材。
【請求項４】
全体の高さが、２．５ｍｍから４．０ｍｍの範囲であることを特徴とする請求項１から３のいずれかに記載のディスク保持部材。
【請求項５】
前記材質は、シリコンまたはゴムであることを特徴とする請求項１から４のいずれかに記載のディスク保持部材。
【考案の詳細な説明】
【技術分野】
【０００１】
本考案は、ＣＤ、ＤＶＤ等の中心部に孔を有するディスクを保持しておく為の部材に関するものである。
【背景技術】
【０００２】
従来から、保持板の中心部に円筒状の保持部を突設し、この保持部をディスクの中心孔に嵌合してディスクを保持する構造に関しては考案されている。
例えば、下記に示す特許文献１には、基端が基盤紙に強固に下部接着剤により接着された弾性体と、この弾性体の頂部に上部接着剤により接着されたフランジ部とから構成される保持片について記載されている。フランジ部の外径は、ＣＤ（ディスク）の中心孔の直径と同程度か、あるいはそれより僅かに大きい程度に形成され、ＣＤの中心孔を弾性体に押し込む場合に、フランジ部が変形しつつＣＤの中心孔を通過し、通過後は元の大きさに復元し、ＣＤの中心孔近傍に係止する。
【０００３】
【特許文献１】特開２００５−３０６４０５号公報
【考案の開示】
【考案が解決しようとする課題】
【０００４】
しかしながら、上記特許文献１の保持片では、弾性体の頂部に貼着されたフランジ部は、ＣＤの中心孔と同程度あるいはそれよりもやや大きな直径を有する紙材から形成されているため、繰り返される着脱操作により破損、あるいは剥離する虞があった。
また、特許文献１に記載の発明に限らず、ディスクを保持する為の部材は、所定の厚さを有する為、ディスクを複数重ねて収納しておこうとする場合、かなりの収納スペースが必要となる問題があった。
【０００５】
そこで、本考案はこのような事情に鑑みてなされたものであり、繰り返される着脱操作に対しても破損等の虞のない保持部材の提供、及び、収納の省スペース化を図ることができる保持部材の提供を目的とする。
【課題を解決するための手段】
【０００６】
上記課題を解決するために、請求項１に係るディスク保持部材の考案は、基盤ベースに接着して取り付けられ、ディスクの中央部孔に嵌入されることによりディスクを保持するディスク保持部材であって、上部、中部、及び下部から構成されると共に、弾性部材からなる同一の材質で一体に形成されており、前記下部は、前記基盤ベースに接着される接着面をその下面側に有する円錐台形状の基台部から成り、前記中部は、前記ディスクが保持された時、ディスクの中央部孔が嵌合される柱状の胴部から成り、前記上部は、円錐台形状の上側部分と逆円錐台形状の下側部分とから成るトップ部から成り、前記トップ部を貫通し前記胴部に至る円柱形状の空洞部が形成されていることを特徴とする。
【０００７】
このような形状を有することにより、基盤ベースに接着される接着面は、円錐台形状の基台部の底面となるので、接着部分の面積が十分に大きく確保でき、ディスク保持部材は、確実、且つ強固に基盤ベースに固定される。トップ部は、上側部分が円錐台形状になっているので、ディスク（中央部孔）を嵌合させ易く、また、外力（取り外そうとする人の力）が加わっていない状態では、柱状の胴部に嵌合されたディスクは容易に外れないように保持される。さらに、トップ部及び胴部には円柱形状の空洞部が形成されているので、ディスク保持部材（弾性部材）は、外力によってより変形し易い構造となっている。従って、ディスクを嵌合する際にもディスク保持部材へ加わる力によって弾性部材は容易に変形して、加わる力を分散し、繰り返しの使用にも破損なく耐え得る。
【０００８】
また、請求項２に係るディスク保持部材の考案は、請求項１に記載の考案において、前記トップ部の円錐台形部分は、上面の径が前記ディスクの中央部孔の径よりも小さく形成されると共に、下面の径が前記ディスクの中央部孔の径よりも大きく形成され、前記トップ部の逆円錐台形部分は、上面の径が前記円錐台形部分の下面の径と等しく形成されると共に、下面の径が前記ディスクの中央部孔の径よりも小さく形成され、前記胴部の柱部分の径は、前記ディスクの中央部孔の径よりも小さく形成され、そして、前記基台部の円錐台形部分は、上面の径が前記ディスクの中央部孔の径よりも小さく形成されると共に、下面の径が前記ディスクの中央部孔の径よりも大きく形成されていることを特徴とする。
【０００９】
トップ部の円錐台形部分の上面の径をディスクの中央部孔の径よりも小さくすることにより、ディスクの中央孔を容易にディスク保持部材の上端部に位置させ、ディスク保持部材とディスクの装着を容易にする。また、トップ部の円錐台形部分の下面の径、及び逆円錐台形部分の上面の径をディスクの中央部孔の径よりも大きくすることにより、柱状の胴部に嵌合されたディスクは容易に外れないように保持される。基台部を円錐台形として側面に傾斜を持たせ、円錐台形の上面の径をディスクの中央部孔の径よりも小さく形成し、下面の径をディスクの中央部孔の径よりも大きく形成することにより、ディスク嵌合時に基台部に加わる荷重による破損を防止する。
【００１０】
また、請求項３に係るディスク保持部材の考案は、請求項１又は２に記載の考案において、前記下部の円錐台形の傾斜角は、３０°から４０°の範囲に設定されていることを特徴とする。
【００１１】
また、請求項４に係るディスク保持部材の考案は、請求項１から３のいずれかに記載の考案において、全体の高さが、２．５ｍｍから４．０ｍｍの範囲であることを特徴とする。
【００１２】
また、請求項５に係るディスク保持部材の考案は、請求項１から４のいずれかに記載の考案において、前記材質は、シリコンまたはゴムであることを特徴とする。
【考案の効果】
【００１３】
本考案に係るディスク保持部材によれば、弾性部材から成るディスク保持部材の中央部分には、円柱状の空洞部が形成されているため、外力が加わったとき自由に変形し易く、ディスクの着脱が容易であると共に、ディスクの着脱を繰り返し行なっても破損の可能性を低く抑えることができる。また、同一の材質によって一体に形成されていることから、ディスク保持部材全体の厚さを十分に薄く形成することができ、基盤ベースを多層に重ねても、省スペースに収納することができる。
【考案を実施するための最良の形態】
【００１４】
以下、本考案に係るディスク保持部材の一形態を添付図面に基づいて説明する。
図１は、ディスク保持部材の正面図であり、図２は、その下面図である。また、図３は、ディスク保持部材の斜視図である。
ディスク保持部材１は、同一の材質で一体に形成された弾性部材から成り、概略、円柱形状を有している。円柱形状のディスク保持部材１は、上部２と中部３と下部４から構成されている。上部２は、円錐台形状を有する上側部分５と、逆円錐台形状を有する下側部分６とから構成されている（以下、トップ部２ともいう）。中部３は、柱状を有する胴部から構成されている。下部４は、円錐台形状を有する基台部から構成されている。
【００１５】
ディスク保持部材１は、基盤ベースに接着・固定されて使用される。図２に示す基台部４の下面７が接着面となっており、この下面７に接着手段が施されて（例えば、接着剤が塗布されて）、基盤ベースに接着される。図４は、基盤ベース８に固定されたディスク保持部材１に、ディスク９が嵌合された状態を示している。尚、見易くする為にディスク９は断面図として示してある。ディスク９は、ディスク保持部材１への装着の際、ディスク保持部材１のトップ部２側から装着される。ディスクの中央部孔は、トップ部２を通り越して柱状の胴部３の周囲に嵌合される。基盤ベース８には、ダンボール紙等の厚紙、合成樹脂から成る板状のものが用いられ、その外形は、装着されるディスク９の大きさ（径）よりも大きいもので、例えば、四角形状、あるいは円形状等に形成されている。
【００１６】
トップ部２の上側部分５（円錐台形部分）の上面の径Ｒ1は、装着されるディスク９の中央孔部の径（図４に示すＲ0）よりも僅かに小さく形成されている。また、円錐台形部分５の下面Ｒ2の径は、ディスク９の中央部孔の径Ｒ0よりも僅かに大きく形成されている。従って、ディスク９をディスク保持部材１に装着しようとする場合、ディスク保持部材１の中心位置とディスク９の中心位置とを合わせるように重ねることで、ディスク９の中央部孔をディスク保持部材１のトップ部２に容易に導くことができ、導かれたディスク９は円錐台形５の傾斜側面に係止される。
【００１７】
トップ部２の下側部分６（逆円錐台形部分）の上面の径は、上側部分５（円錐台形部分）の下面の径Ｒ2と等しく形成されている。また、逆円錐台形部分６の下面の径Ｒ3は、ディスク９の中央部孔の径Ｒ0と同等あるいは僅かに小さく、且つ、胴部３の径と等しく形成されている。さらに、円錐台形部分の上面の径Ｒ1との関係で言えば、径Ｒ3は、径Ｒ1よりも僅かに大きく形成されている。
【００１８】
胴部３（柱部分）の径は、上記したように円錐台形部分の下面の径Ｒ3と等しく形成されている。即ち、ディスクの中央部孔の径Ｒ0と同等あるいは僅かに小さく形成されている。また、胴部３の厚さＨ1は、ディスク９の厚さＨ0と略同じ厚さに形成されている。
【００１９】
基台部４の円錐台形部分の上面の径は、ディスク９の中央部孔の径0と同等あるいは僅かに小さく、且つ、胴部３の径と等しく（径Ｒ3と等しく）形成されている。また、円錐台形部分の下面の径Ｒ4は、ディスク９の中央部孔の径Ｒ0よりも大きく形成されている。さらに、トップ部２の円錐台形部分の下面の径Ｒ2との関係で言えば、径Ｒ4は、径Ｒ2よりも大きく形成されている。基台部４の形状、即ち、円錐台形状は、ディスク装着時にディスク９が基台部４に衝突することによる破損の低減を図る為に形成されている。その傾斜角θは、３０°〜５０°の範囲に設定されることが望ましい。また、基台部４を設けることにより、ディスク保持部材１に装着されたディスク９は、略、基台部４の厚さ分だけ基盤ベース８から離隔した状態で保持されるため、ディスク９の記録面が直接、基盤ベース８に接触せず、損傷の虞を防ぐことができる。
【００２０】
トップ部２の中心部には、上面側から鉛直下方に向かい、トップ部２を貫通して胴部３に至るまで、円柱形状の空洞部１０が形成されている。この空洞部１０は、ディスク９の着脱操作を容易にする為、あるいはディスク着脱の繰り返しに対しても破損し難くするために形成されたものである。空洞部１０の径Ｒ5は、ディスク保持部材１（弾性部材）の硬度、ディスク保持部材１の径との関係等から、即ち、ディスク着脱時の弾性部材の変形し易さ等を考慮して決定される。ディスク保持部材１、即ち、弾性部材の材質としては、例えば、シリコンあるいはゴムが使用される。その硬度は、４０°程度が望ましい。
【００２１】
ディスク保持部材１の全体の高さ（厚さ）、即ち、トップ部２と胴部３と基台部４とを足し合わせた厚さは、２．５ｍｍから４．０ｍｍの範囲に設定される。ディスク保持部材１は、同一の材質で一体に形成されるため、その厚さを十分に薄く形成することが可能である。これにより、ディスク９を複数枚重ねて収納しておく場合にも省スペース化を図ることができる。
【００２２】
ディスク９を装着するにあたり、ディスク９の中心位置をディスク保持部材１の中心位置に重ねるようにして配設すると、ディスク９の中央部孔の径Ｒ0は円錐台形部分５の下面の径Ｒ2よりも小さい為に、ディスク９は、円錐台形部分５の傾斜側面に係止される。この状態からユーザーがディスクを鉛直下方に押圧すると、弾性部材から成るディスク保持部材１は、ディスク９からの外力により、ディスク９が下方に移動できるように収縮変形する。このときディスク保持部材１には、上記したように円柱状の空洞部１０が形成されているため、変形し易く、ディスク９は、容易に胴部３まで嵌合される。
【００２３】
トップ部２を通過して胴部３まで達したディスク９は、上記押圧による勢いでその下面部が、基台部４に衝突する。基台部４は円錐台形状に形成されている為、ディスク９は基台部４の傾斜側面に衝突する。この衝突部分の傾斜構造により、衝突による基台部４の破損を抑制することができる。胴部３の径は、上記のようにディスク９の径と同等あるいは僅かに小さく形成されている為、嵌合されたディスク９は、胴部３に対向する同じ高さの位置、あるいは胴部３よりも僅かに低い位置に配置される。また、トップ部２の円錐台形部分５（逆円錐台形部分６）の径Ｒ2が、ディスクの中央部孔の径Ｒ0よりも大きく形成されているので、外力が加わらない自然の状態では、径Ｒ2部分がストッパーとして作用し、嵌合したディスク９は容易に抜けないようになっている。
【００２４】
図５は、ディスク保持部材１に装着されたディスク９を取り外す時の様子を示している。１本の指、この形態では親指をディスク保持部材１の空洞部１０に指し込むと共に、空洞部の外壁に押し当て、他の指、この形態では人差し指をディスク９の外周縁に押し当て、つまみ上げるように人差し指を持ち上げる。ディスク９の中央孔部の縁から加わる外力によってディスク保持部材１が収縮変形し、ディスク保持部材１から容易にディスク９を取り外すことができる。ディスク保持部材１に形成された空洞部１０により、ディスク保持部材１が容易に変形すると共に、指をディスク保持部材１に掛け易くディスク９を摘まみ易い。さらに、上述したように装着されたディスク９は、基盤ベース９の面から基台部４の厚さ分だけ離隔した状態で保持されていることによっても、ディスク９を摘まみ易い。これにより、ディスク９を保持部材１から容易に取り外すことができる。
【図面の簡単な説明】
【００２５】
【図１】本考案に係るディスク保持部材の一形態を示す正面図である。
【図２】図１の下面図である。
【図３】図１の斜視図である。
【図４】基盤ベースに固定されたディスク保持部材に、ディスクが嵌合された状態を示づ図である。
【図５】ディスク保持部材に装着されたディスクを取り外す様子を示す図である。
【符号の説明】
【００２６】
１    ディスク保持部材
２    上部（トップ部）
３    中部（胴部）
４    下部（基台部）
５    上側部分
６    下側部分
８    基盤ベース
９    ディスク
１０  空洞部
【図１】
0003133837.tif 000003
【図２】
0003133837.tif 000004
【図３】
0003133837.tif 000005
【図４】
0003133837.tif 000006
【図５】
0003133837.tif 000007